(57)【特許請求の範囲】
【請求項１】
チップ抵抗器であって、
絶縁基板上に形成された一対の上面電極層であって、抵抗体層との接続部分が突出部により構成された上面電極層で、絶縁基板における中心線で、該一対の上面電極層を結ぶ方向を向いた中心線を跨がないように該突出部が形成された上面電極層と、
該絶縁基板上に形成された抵抗体層であって、上面電極層との接続部分が突出部により構成された抵抗体層で、絶縁基板における中心線で、該一対の上面電極層を結ぶ方向を向いた中心線を跨がないように該突出部が形成された抵抗体層と、
を有することを特徴とするチップ抵抗器。
【請求項２】
上記一対の上面電極層における各突出部同士が、互いに線対称の位置に設けられ、また、抵抗体層における各突出部同士も線対称の位置に設けられていることを特徴とする請求項１に記載のチップ抵抗器。
【請求項３】
上記一対の上面電極層における各突出部同士が、互いに点対称の位置に設けられ、また、抵抗体層における各突出部同士も点対称の位置に設けられていることを特徴とする請求項１に記載のチップ抵抗器。
【請求項４】
上記抵抗体層における一対の上面電極層を結ぶ方向の全長である抵抗体層全長が、一対の上面電極層の突出部の先端間の長さより長く形成され、また、該一対の上面電極層の突出部の先端間の長さが、該抵抗体層における一対の上面電極層を結ぶ方向の突出部の基端間の長さより長くなるように形成されていることを特徴とする請求項１又は２又は３に記載のチップ抵抗器。
【請求項５】
上記一対の上面電極層における一方の上面電極層である第１上面電極層の突出部の基端から他方の上面電極層である第２上面電極層の突出部の先端までの距離が、上記抵抗体層における上記第１上面電極層側の突出部の基端から該抵抗体層における上記第２上面電極層側の突出部の先端までの距離よりも大きく形成されていることを特徴とする請求項４に記載のチップ抵抗器。
【請求項６】
チップ抵抗器であって、
絶縁基板上に形成された一対の上面電極層であって、抵抗体層との接続部分が突出部により構成され、各突出部同士が互いに線対称の位置に設けられた上面電極層で、絶縁基板における中心線で、該一対の上面電極層を結ぶ方向を向いた中心線を跨がないように該突出部が形成された上面電極層と、
該絶縁基板上に形成された抵抗体層であって、上面電極層との接続部分が突出部により構成され、各突出部同士が互いに線対称の位置に設けられた抵抗体層で、絶縁基板における中心線で、該一対の上面電極層を結ぶ方向を向いた中心線を跨がないように該突出部が形成された抵抗体層と、
を有し、
上記一対の上面電極層における突出部の基端間の長さが、上記抵抗体層における一対の上面電極層を結ぶ方向の全長である抵抗体層全長より長く形成され、また、該抵抗体層全長が、一対の上面電極層の突出部の先端間の長さより長く形成され、また、該一対の上面電極突出部の先端間の長さが、該抵抗体層における一対の上面電極層を結ぶ方向の突出部の基端間の長さより長くなるように形成されていることを特徴とするチップ抵抗器。
【請求項７】
チップ抵抗器であって、
絶縁基板上に形成された一対の上面電極層であって、略長方形状を呈する上面電極層であって、該一対の上面電極層を結ぶ方向を向いた中心線を跨がないように形成された上面電極層と、
該絶縁基板上に形成された抵抗体層であって、上面電極層との接続部分が突出部により構成された抵抗体層で、絶縁基板における中心線で、該一対の上面電極層を結ぶ方向を向いた中心線を跨がないように該突出部が形成された抵抗体層と、
を有することを特徴とするチップ抵抗器。
【請求項８】
上記一対の上面電極層同士が、互いに線対称の位置に設けられ、また、抵抗体層における各突出部同士が線対称の位置に設けられていることを特徴とする請求項７に記載のチップ抵抗器。
【請求項９】
上記一対の上面電極層同士が、互いに点対称の位置に設けられ、また、抵抗体層における各突出部同士が点対称の位置に設けられていることを特徴とする請求項７に記載のチップ抵抗器。
【発明の詳細な説明】
【０００１】
【発明の属する技術分野】
本発明は、チップ抵抗器に関するものであり、特に、チップ固定抵抗器の品質の信頼性を向上する手段に関するものである。
【０００２】
【従来の技術】
チップ抵抗器は、絶縁基板と、上面電極層等からなる電極部と、抵抗体層と、保護層等から構成されている。ここで、従来のチップ抵抗器における上面電極層と抵抗体層の形状は図１３（ａ）に示すようになっている。つまり、チップ抵抗器Ｚにおける上面電極層１２２は、絶縁基板１１０上に一対形成されていて、上面電極層１２２の形状は略方形状を呈している。また、抵抗体層１３０は、略方形状の抵抗体本体部１３０ａと、該抵抗体本体部１３０ａから上面電極層１２２側にそれぞれ延設された抵抗体突出部１３０ｂとを有している。この図１３に示す例では、抵抗体突出部１３０ｂ同士が線対称の位置に設けられている。つまり、２つの抵抗体突出部１３０ｂは、上面電極層間を結ぶ方向に対して直角な方向の中心線Ｒを介して線対称の位置に設けられている。なお、図１３、図１４は、その説明のために、チップ抵抗器における絶縁基板、上面電極層、抵抗体層のみを表現したものである。なお、抵抗体突出部１３０ｂの位置が点対称の位置に設けられた場合もある。
【０００３】
【発明が解決しようとする課題】
しかし、上記チップ抵抗器Ｚにおいては、抵抗体層の形成方向を１８０度間違った場合等に、所望の電気特性を得ることができない場合がある。つまり、製造時において上記抵抗体層１３０が図１３（ａ）に示すような適切な形成位置ではなく、図１３（ｂ）に示すように、約１８０度回転した状態で形成され、そのままトリミング工程に移されると、図１３（ｂ）に示すように、トリミング溝Ｍが形成されてしまう。すると、抵抗体層の残幅が極端に狭くなり、要求される電気特性を得ることができない。また、トリミング後の抵抗値としては、正常であるので、抵抗値検査で選別することができない。
【０００４】
さらに、上記チップ抵抗器Ｚは、抵抗体層１３０が絶縁基板１１０上に形成される工程において、該抵抗体層１３０が、図１４に示すように、適正位置ではなく上下に外れた位置に形成される場合がある。これにより、該上面電極層１２２と抵抗体層１３０とは、必要以上に接触してしまい、該チップ抵抗器Ｚの抵抗値は、要求される値より極端に低い値しか得られない状態となる。つまり、抵抗体本体部１３０ａ自身が上面電極層１２２と接触してしまうことにより、抵抗値が低くなりすぎる。
【０００５】
そこで、本発明は、期待される電気特性を持たない抵抗器を容易に選別することができ、さらに、抵抗体層の形成位置が、適正位置から外れてしまっていても、適切な抵抗値を得ることが可能なチップ抵抗器を提供することを目的とする。
【０００８】
【課題を解決するための手段】
本発明は上記問題点を解決するために創作されたものであって、第１には、チップ抵抗器であって、絶縁基板上に形成された一対の上面電極層であって、抵抗体層との接続部分が突出部により構成された上面電極層で、絶縁基板における中心線で、該一対の上面電極層を結ぶ方向を向いた中心線を跨がないように該突出部が形成された上面電極層と、該絶縁基板上に形成された抵抗体層であって、上面電極層との接続部分が突出部により構成された抵抗体層で、絶縁基板における中心線で、該一対の上面電極層を結ぶ方向を向いた中心線を跨がないように該突出部が形成された抵抗体層と、を有することを特徴とする。
【０００９】
この第１の構成のチップ抵抗器においては、上面電極層、抵抗体層ともに突出部を有しているので、抵抗体層の形成位置が上面電極層を結ぶ方向にずれて形成されたとしても、抵抗体層の突出部以外の領域と、上面電極層の突出部以外の領域とが容易に接触することがなく、よって、要求される抵抗値を確実に得ることが可能となる。
【００１０】
また、第２には、上記第１の構成において、上記一対の上面電極層における各突出部同士が、互いに線対称の位置に設けられ、また、抵抗体層における各突出部同士も線対称の位置に設けられていることを特徴とする。
【００１１】
また、第３には、上記第１の構成において、上記一対の上面電極層における各突出部同士が、互いに点対称の位置に設けられ、また、抵抗体層における各突出部同士も点対称の位置に設けられていることを特徴とする。
また、第４には、上記第１から第３までのいずれかの構成において、上記抵抗体層における一対の上面電極層を結ぶ方向の全長である抵抗体層全長が、一対の上面電極層の突出部の先端間の長さより長く形成され、また、該一対の上面電極層の突出部の先端間の長さが、該抵抗体層における一対の上面電極層を結ぶ方向の突出部の基端間の長さより長くなるように形成されていることを特徴とする。よって、抵抗体層全長が、一対の上面電極層の突出部の先端間の長さより長く形成されているので、上面電極層と抵抗体層とが確実に接触することができ、また、該一対の上面電極層の突出部の先端間の長さが、該抵抗体層における一対の上面電極層を結ぶ方向の突出部の基端間の長さより長くなるように形成されているので、抵抗体層の突出部以外の領域が容易に上面電極層に接触しないようにすることができる。
また、第５には、上記第４の構成において、上記一対の上面電極層における一方の上面電極層である第１上面電極層の突出部の基端から他方の上面電極層である第２上面電極層の突出部の先端までの距離が、上記抵抗体層における上記第１上面電極層側の突出部の基端から該抵抗体層における上記第２上面電極層側の突出部の先端までの距離よりも大きく形成されていることを特徴とする。よって、抵抗体層における突出部以外の領域が、上面電極層における突出部以外の領域と接した状態で形成された場合には、抵抗体層における他方の突出部が上面電極層の突出部に接しなくなるので、抵抗値検査で選別することが可能となる。
【００１２】
また、第６には、チップ抵抗器であって、絶縁基板上に形成された一対の上面電極層であって、抵抗体層との接続部分が突出部により構成され、各突出部同士が互いに線対称の位置に設けられた上面電極層で、絶縁基板における中心線で、該一対の上面電極層を結ぶ方向を向いた中心線を跨がないように該突出部が形成された上面電極層と、該絶縁基板上に形成された抵抗体層であって、上面電極層との接続部分が突出部により構成され、各突出部同士が互いに線対称の位置に設けられた抵抗体層で、絶縁基板における中心線で、該一対の上面電極層を結ぶ方向を向いた中心線を跨がないように該突出部が形成された抵抗体層と、を有し、上記一対の上面電極層における突出部の基端間の長さが、上記抵抗体層における一対の上面電極層を結ぶ方向の全長である抵抗体層全長より長く形成され、また、該抵抗体層全長が、一対の上面電極層の突出部の先端間の長さより長く形成され、また、該一対の上面電極突出部の先端間の長さが、該抵抗体層における一対の上面電極層を結ぶ方向の突出部の基端間の長さより長くなるように形成されていることを特徴とする。
【００１３】
この第６の構成のチップ抵抗器においては、抵抗体層が、約１８０度回転した状態、すなわち、該抵抗体層の形成方向が逆向きとなる状態で形成された場合には、該上面電極層と抵抗体層とが接しない状態となる。つまり、上面電極層の突出部と抵抗体層の突出部ともに中心線を跨がない状態で形成されており、また、一対の上面電極層における突出部の基端間の長さが、上記抵抗体層における一対の上面電極層を結ぶ方向の全長である抵抗体層全長より長く形成されているので、抵抗体層が１８０度回転した状態で形成されると、上面電極層と抵抗体層とは接触しない。すると、該上面電極層と抵抗体層との間には、電流の導通がない状態となるので、抵抗値調整のトリミングが行われず、抵抗値検査において、確実に不良品として選別される。なお、該抵抗体層全長が、一対の上面電極層の突出部の先端間の長さより長く形成されているので、上面電極層と抵抗体層とが確実に接触することができ、また、該一対の上面電極層の突出部の先端間の長さが、該抵抗体層における一対の上面電極層を結ぶ方向の突出部の基端間の長さより長くなるように形成されているので、抵抗体層の突出部以外の領域が容易に上面電極層に接触しないようにすることができる。
【００１８】
また、第７には、チップ抵抗器であって、絶縁基板上に形成された一対の上面電極層であって、略長方形状を呈する上面電極層であって、該一対の上面電極層を結ぶ方向を向いた中心線を跨がないように形成された上面電極層と、該絶縁基板上に形成された抵抗体層であって、上面電極層との接続部分が突出部により構成された抵抗体層で、絶縁基板における中心線で、該一対の上面電極層を結ぶ方向を向いた中心線を跨がないように該突出部が形成された抵抗体層と、を有することを特徴とする。
【００１９】
この第７のチップ抵抗器によれば、抵抗体層の形成位置が上面電極層を結ぶ方向にずれて形成されたとしても、そのずれが所定範囲内であれば、要求される抵抗値を確実に得ることが可能となる。
【００２０】
また、第８には、上記第７の構成において、上記一対の上面電極層同士が、互いに線対称の位置に設けられ、また、抵抗体層における各突出部同士が線対称の位置に設けられていることを特徴とする。
【００２１】
また、第９には、上記第７の構成において、上記一対の上面電極層同士が、互いに点対称の位置に設けられ、また、抵抗体層における各突出部同士が点対称の位置に設けられていることを特徴とする。
【００２５】
【発明の実施の形態】
本発明の実施の形態としてのチップ抵抗器について図面を利用して説明する。なお、図２〜図１２も、その説明のために、チップ抵抗器における絶縁基板、上面電極層、抵抗体層のみを表現したものである。
【００２６】
まず、第１実施例のチップ抵抗器Ｓ１について説明する。チップ抵抗器Ｓ１は、図１に示されるように、絶縁基板１０と、電極部２０と、抵抗体層３０と、保護層４０とを有している。
【００２７】
ここで、上記絶縁基板１０は、主にアルミナで形成されており、平面視略長方形形状を呈する直方体である。
【００２８】
上記電極部２０は、上記絶縁基板１０上に形成され、該絶縁基板１０表面の対向する両端に一対形成されており、図１に示すように、上面電極層２２と、側面電極層２４と、中間電極層２６と、ハンダメッキ層２８とを有している。
【００２９】
ここで、上記上面電極層２２は、上記絶縁基板１０上の対向する両端に互いに向き合う状態で一対形成されている。また、該上面電極層２２は、通常、銀系厚膜により形成されている。
【００３０】
また、上記側面電極層２４は、上記上面電極層２２の一部と、上記絶縁基板１０の側面と、該絶縁基板１０の下面の一部とを被覆しており、通常、銀系厚膜や金属薄膜により形成されている。
【００３１】
上記中間電極層２６は、上記側面電極層２４上に略均一の膜厚で形成されており、電気メッキにより施されている。この中間電極層２６は、内部電極層、つまり、側面電極層２４等がハンダ付け時にハンダへ溶出することを防止するために形成されている層であり、ニッケル以外にも銅が使用される場合がある。
【００３２】
上記ハンダメッキ層２８は、上記中間電極層２６上に略均一の膜厚で形成されており、これも該中間電極層２６と同様に、電気メッキにより施されている。このハンダメッキ層２８は、チップ抵抗器のハンダ付けを良好とするための層であり、ハンダ以外にも錫が使用される場合がある。
【００３３】
次に、上記抵抗体層３０は、上記絶縁基板１０及び上記一対の上面電極層２２の一部と積重するように形成されている。つまり、絶縁基板１０間を接続するように形成されている。この抵抗体層３０は、例えば、酸化ルテニウム系などの抵抗ペーストを、上記の位置に略平滑状に略均一の膜厚でスクリーン印刷した後に焼成して形成されたものである。
【００３４】
次に、上記保護層４０は、上記抵抗体層３０の略上面を被覆するようにして形成されている。また、この保護層４０は、上記絶縁基板１０の長手方向の端部において上記中間電極層２６やハンダメッキ層２８と隙間なく接する状態で形成されている。また、この保護層４０は、ほう珪酸鉛ガラス又は、合成樹脂（エポキシ、フェノール、シリコンなど）により形成されている。なお、図１は、チップ抵抗器Ｓ１の縦断面図であるが、その切断位置は、図２を参考にすると、抵抗体突出部３０ｂの位置の縦断面図であるといえる。
【００３５】
ここで、上記上面電極層２２と、抵抗体層３０についてより詳細に説明すると、まず、上面電極層２２は、図２に示すように、上記絶縁基板１０の対向する両端部、すなわち、Ｙ方向（図２参照）の両端部に一対形成されている。このＹ方向とは、一対の上面電極層２２を結ぶ方向であり、絶縁基板１０の辺部に沿った方向である。この上面電極層２２は、それぞれ全体に略Ｌ字状を呈しており、図２に示すように、上面電極本体部２２ａと、上記抵抗体層３０の側に略突出する上面電極突出部（突出部）２２ｂとを有している。上面電極本体部２２ａ、上面電極突出部２２ｂともに長方形状を呈している。上面電極突出部２２ｂは正方形状でもよい。当然、上面電極突出部２２ｂのＸ方向の幅は、上面電極本体部２２ａのＸ方向の幅よりも小さい。Ｘ方向とは、Ｙ方向とは直角の方向であり、絶縁基板１０の辺部に沿った方向である。この上面電極突出部２２ｂは、チップ抵抗器Ｓ１の長手方向の中心線Ｌを跨がないように形成されている。この中心線Ｌは、一対の上面電極層を結ぶ方向を向いた中心線である。２つの上面電極層２２は、互いに線対称の形状・大きさに形成されている。ここで、上面電極突出部２２ｂは、上面電極本体部２２ａにおけるＸ方向の端部に連設されていて、上面電極本体部２２ａの一方の側辺２２ａ−１と、上面電極突出部２２ｂの一方の側辺２２ｂ−１とは、直線上に形成されている。この上面電極層２２は、抵抗体層３０側の一部に切欠きを設けた形状であるともいえる。
【００３６】
上記抵抗体層３０は、図２に示すように、上記上面電極層２２の間に形成されている。この抵抗体層３０は、図２に示すように、上記絶縁基板１０の略中央部に形成された抵抗体本体部３０ａと、該抵抗体本体部３０ａの上面電極層２２側の両側に連設された抵抗体突出部（突出部）３０ｂとを有している。この抵抗体本体部３０ａは、長方形状ないしは正方形状に溝部を形成した形状を呈し、抵抗体層３０の略中央に位置している。また、抵抗体突出部３０ｂは縦長の長方形状を呈している。当然、抵抗体突出部３０ｂのＸ方向の幅は、抵抗体本体部３０ａのＸ方向の幅よりも小さい。この抵抗体突出部３０ｂは、チップ抵抗器Ｓ１の長手方向の中心線Ｌを跨がないように形成されている。また、抵抗体層３０は、線対称の形状に形成されていて、２つの抵抗体突出部３０ｂの形状・大きさはともに同一である。ここで、抵抗体突出部３０ｂは、抵抗体本体部３０ａにおけるＸ方向の端部に連設されていて、抵抗体本体部３０ａの一方の側辺（図２における右側の側辺）と、抵抗体突出部３０ｂの一方の側辺（図２における右側の側辺）とは、直線上に形成されている。
【００３７】
また、上記チップ抵抗器Ｓ１に形成される上記上面電極層２２と、抵抗体層３０とにおいては、形成寸法に所定の条件が設けられている。すなわち、抵抗体本体部３０ａのＹ方向（図２参照）の幅をＡとし、該上面電極層２２間のＹ方向（図２参照）の幅をＢとし、該抵抗体層３０のＹ方向の全長をＣとし、該上面電極層２２の上面電極本体部２２ａ間のＹ方向の距離をＤとした場合に、Ａ＜Ｂ＜Ｃ＜Ｄとなるように形成されている。
【００３８】
これは、仮にＡ＞Ｂの場合には、抵抗体本体部３０ａが上面電極層２２と接触してしまい、抵抗値が低くなることから、Ａ＜Ｂの条件が成り立ち、また、仮にＣ＞Ｄの場合には、抵抗体層３０の形成方向が１８０度回転したとしても、抵抗体層３０が上面電極層２０に接触してしまい、後述のように抵抗体層３０の形成方向が１８０度回転してしまった場合における抵抗値検査による選別ができなくなるために、Ｃ＜Ｄの条件が成り立つ。また、Ｂ＜Ｃでなければ、抵抗体層３０と上面電極層２０とが接触しないので、結果として、上記の条件が成り立つことになる。なお、上記の条件を「寸法条件」とする。この寸法条件は、第１実施例における以下の変形例でも適用される。
【００３９】
なお、上記Ｄは、上記「一対の上面電極層における突出部の基端間の長さ」に当たり、上記Ｃは、上記「抵抗体層における一対の上面電極層を結ぶ方向の全長である抵抗体層全長」に当たり、また、上記Ｂは、「一対の上面電極層の突出部の先端間の長さ」に当たり、また、上記Ａは、「抵抗体層における一対の上面電極層を結ぶ方向の突出部の基端間の長さ」に当たる。つまり、上記上面電極本体部２２ａと上面電極突出部２２ｂの接続位置が、上面電極層における突出部の基端に当たり、また、上記抵抗体本体部３０ａと抵抗体突出部３０ｂの接続位置が、抵抗体層における突出部の基端に当たる。
【００４０】
次に、上記チップ抵抗器Ｓ１の製造及び作用について説明する。絶縁基板１０に上面電極層２０や抵抗体層３０の形成は、スクリーン印刷等により行われるが、使用されるスクリーンも当然、上記の形状、大きさに上面電極層２２や抵抗体層３０が形成されるように形成されている。
【００４１】
ここで、上記抵抗体層３０が、上記絶縁基板１０上の正常な位置に形成されていれば、上記上面電極層２２の上面電極突出部２２ｂと、該抵抗体層３０の抵抗体突出部３０ｂとが、図２に示すように、積層するように接続される。よって、トリミングにおいても、正常にトリミングを行うことが可能となる。
【００４２】
しかし、該抵抗体層３０が、約１８０度回転した状態、すなわち、該抵抗体層３０の形成方向が逆向きとなる状態で形成された場合には、該上面電極層２２と抵抗体層３０とが、図３に示すように、接しない状態となる。つまり、上面電極突出部２２ｂ、抵抗体突出部３０ｂともに中心線Ｌを跨がない状態で形成されており、また、上記Ｃ＜Ｄであるので、抵抗体層３０が１８０度回転した状態で形成されると、上面電極層２２と抵抗体層３０とは少なくとも片側において接触せず、結果として、上面電極層２２と抵抗体層３０とが完全には接しない状態となる。すると、該上面電極層２２と抵抗体層３０との間には、電流の導通がない状態となるので、抵抗値調整のトリミングが行われず、抵抗値検査において、確実に不良品として選別される。
【００４３】
また、上面電極層２２は、上面電極突出部２２ｂを有し、抵抗体層３０は、抵抗体突出部３０ｂを有するというように、上面電極層２２、抵抗体層３０ともに突出部を有しているので、抵抗体層３０のＹ方向の形成位置がずれて形成されたとしても、抵抗体本体部３０ａと上面電極本体部２２ａとが容易に接触することがなく、よって、要求される抵抗値を確実に得ることが可能となる。なお、抵抗体層３０における抵抗体本体部３０ａが上面電極突出部２２ｂに接した場合には、若干の抵抗値変化があるが、それほど大きな影響はない。
【００４４】
なお、上記の第１実施例においては種々の変形例が考えられる。例えば、図４に示すように、上面電極突出部２２ｂの形成位置を上面電極本体部２２ａの端部ではなく、若干中心線Ｌよりの位置に形成するようにしてもよい。この場合には、上面電極本体部２２ａの一方の側辺２２ａ−１と、上面電極突出部２２ｂの一方の側辺２２ｂ−１とは、直線上には形成されない形となる。また、図４においては、抵抗体層３０については、上記実施例と同様の形状、つまり、抵抗体突出部３０ｂは、抵抗体本体部３０ａのＸ方向の端部に連設されている形状となっているが、中心線Ｌよりの位置に連設された形でもよい。この図４の場合でも、上面電極突出部２２ｂと、抵抗体突出部３０ｂとは、中心線Ｌを跨がないように形成され、また、上記Ａ＜Ｂ＜Ｃ＜Ｄの条件も適用される。なお、その他の点については、上記実施例と同様に形成されている。
【００４５】
この図４の例でも、該抵抗体層３０が、約１８０度回転した状態、すなわち、該抵抗体層３０の形成方向が逆向きとなる状態で形成されると、該上面電極層２２と抵抗体層３０とが、図５に示すように、接しない状態となり、該上面電極層２２と、抵抗体層３０との間には、電流の導通がない状態となるので、抵抗値調整のトリミングが行われず、抵抗値検査において、確実に不良品として選別される。また、上面電極層２２は、上面電極突出部２２ｂを有し、抵抗体層３０は、抵抗体突出部３０ｂを有するというように、上面電極層２２、抵抗体層３０ともに突出部を有しているので、抵抗体層３０のＹ方向の形成位置がずれて形成されたとしても、抵抗体本体部３０ａと上面電極本体部２２ａとが容易に接触することがなく、よって、要求される抵抗値を確実に得ることが可能となる。
【００４６】
また、他の変形例として、図６に示すように、上面電極層２２を方形状、具体的には、長方形状とするようにしてもよい。なお、抵抗体層３０は、図１〜図３の例と同様に形成されている。この図６の場合でも、上面電極層２２と、抵抗体突出部３０ｂとは、中心線Ｌを跨がないように形成されている。また、図６に示すように、抵抗体本体部３０ａのＹ方向（図６参照）の幅をＡとし、該上面電極層２２間のＹ方向の幅をＢとし、該抵抗体層３０のＹ方向の全長をＣとた場合に、寸法条件がＡ＜Ｂ＜Ｃとなるように形成されている。これは、仮にＡ＞Ｂの場合には、抵抗体本体部３０ａが上面電極層２２と接触してしまい、抵抗値が低くなることから、Ａ＜Ｂの条件が成り立ち、また、Ｂ＜Ｃでなければ、抵抗体層３０と上面電極層２２とが接触しないので、結果として、上記の条件が成り立つことになる。
【００４７】
この図６の例でも、該抵抗体層３０が、約１８０度回転した状態、すなわち、該抵抗体層３０の形成方向が逆向きとなる状態で形成されると、該上面電極層２２と抵抗体層３０とが、図７に示すように、接しない状態となり、該上面電極層２２と、抵抗体層３０との間には、電流の導通がない状態となるので、抵抗値調整のトリミングが行われず、抵抗値検査において、確実に不良品として選別される。また、上面電極層２２は、縦長長方形状に形成され、抵抗体層３０は、抵抗体突出部３０ｂを有するので、抵抗体層３０のＹ方向の形成位置がずれて形成されたとしても、要求される抵抗値を確実に得ることが可能となる。
【００４８】
続いて、第２実施例について説明する。第２実施例のチップ抵抗器Ｓ２は、上記第１実施例と同様の構成であるが、上記第１実施例のような寸法条件はなく、異なる寸法条件が設けられている。
【００４９】
つまり、上面電極層２２は、図８に示すように、上記絶縁基板１０の対向する両端部、すなわち、Ｙ方向（図８参照）の両端部に一対形成されている。この上面電極層２２は、それぞれ全体に略Ｌ字状を呈しており、図８に示すように、上面電極本体部２２ａと、上記抵抗体層３０の側に略突出する上面電極突出部２２ｂとを有している。上面電極本体部２２ａ、上面電極突出部２２ｂともに長方形状を呈している。上面電極突出部２２ｂは正方形状でもよい。当然、上面電極突出部２２ｂのＸ方向の幅は、上面電極本体部２２ａのＸ方向の幅よりも小さい。この上面電極突出部２２ｂは、チップ抵抗器Ｓ２の長手方向の中心線Ｌを跨がないように形成されている。ここで、上面電極突出部２２ｂは、上面電極本体部２２ａにおけるＸ方向の端部に連設されていて、上面電極本体部２２ａの一方の側辺と、上面電極突出部２２ｂの一方の側辺とは、直線上に形成されている。
【００５０】
上記抵抗体層３０は、図８に示すように、上記上面電極層２２の間に形成されている。この抵抗体層３０は、図８に示すように、上記絶縁基板１０の略中央部に形成された抵抗体本体部３０ａと、該抵抗体本体部３０ａの上面電極層２２側の両側に連設された抵抗体突出部３０ｂとを有している。この抵抗体本体部３０ａは、長方形状ないしは正方形状に溝部を形成した形状を呈し、抵抗体突出部３０ｂは縦長の長方形状を呈している。当然、抵抗体突出部３０ｂのＸ方向の幅は、抵抗体本体部３０ａのＸ方向の幅よりも小さい。この抵抗体突出部３０ｂは、チップ抵抗器Ｓ１の長手方向の中心線Ｌを跨がないように形成されている。ここで、抵抗体突出部３０ｂは、抵抗体本体部３０ａにおけるＸ方向の端部に連設されている。
【００５１】
また、図８に示すように、抵抗体本体部３０ａのＹ方向の幅をＡとし、該上面電極層２２間のＹ方向の幅をＢとし、該抵抗体層３０のＹ方向の全長をＣとした場合に、Ａ＜Ｂ＜Ｃの関係が成立する。また、上面電極層２２は、互いに線対称の形状・大きさに形成されており、また、抵抗体層３０も線対称の形状に形成されていて、２つの抵抗体突出部３０ｂの形状・大きさは同一である。このＡ＜Ｂ＜Ｃの関係については、この第２実施例の以下の変形例でも適用される。
【００５２】
ここで、図８において、Ｃは、上記「抵抗体層における一対の上面電極層を結ぶ方向の全長である抵抗体層全長」に当たり、また、Ｂは、上記「一対の上面電極層の突出部の先端間の長さ」に当たり、また、Ａは、上記「抵抗体層における一対の上面電極層を結ぶ方向の突出部の基端間の長さ」に当たる。つまり、上記上面電極本体部２２ａと上面電極突出部２２ｂの接続位置が、上面電極層における突出部の基端に当たり、また、上記抵抗体本体部３０ａと抵抗体突出部３０ｂの接続位置が、抵抗体層における突出部の基端に当たる。
【００５３】
次に、上記チップ抵抗器Ｓ２の製造及び作用について説明する。絶縁基板１０に上面電極層２２や抵抗体層３０の形成は、スクリーン印刷等により行われるが、使用されるスクリーンも当然、上記の形状、大きさに上面電極層２２や抵抗体層３０が形成されるように形成されている。
【００５４】
ここで、上記抵抗体層３０が、上記絶縁基板１０上の正常な位置に形成されれば、図８に示す位置に抵抗体層３０が形成される。この場合には、抵抗体層３０の抵抗体突出部３０ｂのみが上面電極層２２に接触するので、所望の抵抗値を得ることが可能となる。また、該抵抗体層３０が、上下にずれた状態で形成された場合にも、所定の範囲のずれであるならば、図９に示すように、抵抗体本体部３０ａが上面電極本体部２２ａに接しないので、所望の抵抗値から抵抗値が大きく変化することがない。
【００５５】
なお、図９に示すように、抵抗体層３０において、抵抗体本体部３０ａの端部から抵抗体層３０の反対側の端部までのＹ方向の長さをＥとし、上面電極層２２における上面電極本体部２２ａの端部から他方の上面電極層２２における上面電極突出部２２ｂの端部までのＹ方向の長さをＦとした場合に、Ｅ＜Ｆであれば、抵抗体本体部３０ａと上面電極本体部２２ａが接した状態で形成された場合には、抵抗体突出部３０ｂが上面電極突出部２２ｂには接しなくなるので、抵抗値検査で確実に選別することができる。この点は、第２実施例における以下の変形例でも適用される。
【００５６】
ここで、上記Ｆは、「一対の上面電極層における一方の上面電極層である第１上面電極層の突出部の基端から他方の上面電極層である第２上面電極層の突出部の先端までの距離」に当たり、また、上記Ｅが、「抵抗体層における上記第１上面電極層側の突出部の基端から該抵抗体層における上記第２上面電極層側の突出部の先端までの距離」に当たる。
【００５７】
なお、上記の第２実施例においては種々の変形例が考えられる。例えば、図１０に示すように、上面電極突出部２２ｂの形成位置を上面電極本体部２２ａの端部ではなく、若干中央よりの位置に形成するようにしてもよい。この場合には、上面電極本体部２２ａの一方の側辺２２ａ−１と、上面電極突出部２２ｂの一方の側辺２２ｂ−１とは、直線上には形成されない形となる。また、図１０においては、抵抗体層３０については、上記実施例と同様の形状、つまり、抵抗体突出部３０ｂは、抵抗体本体部３０ａのＸ方向の端部に連設されている形状となっているが、中央よりの位置に連設された形でもよい。
【００５８】
この図１０の例でも、抵抗体層３０が、上下にずれた状態で形成された場合にも、所定の範囲のずれであるならば、図１０に示すように、抵抗体本体部３０ａが上面電極本体部２２ａに接しないので、所望の抵抗値から抵抗値が大きく変化することがない。また、上記と同様に、抵抗体本体部３０ａの端部から抵抗体層３０の反対側の端部までの長さをＥとし、上面電極層２２における上面電極本体部２２ａの端部から他方の上面電極層２２における上面電極突出部２２ｂの端部までの長さをＦとした場合に、Ｅ＜Ｆであれば、抵抗体本体部３０ａと上面電極本体部２２ａが接した状態で形成された場合には、抵抗体突出部３０ｂが上面電極突出部２２ｂには接しなくなるので、抵抗値検査で確実に選別することができる。
【００５９】
また、他の変形例として、図１１に示すように、２つの上面電極層２２を点対称の形状・大きさに形成するとともに、抵抗体層３０を点対称の形状に形成するようにしてもよい。つまり、上面電極突出部２２ｂは、一方の上面電極層２２においては、上面電極本体部２２ａのＸ方向の一方の端部に連設され、他方の上面電極層２２においては、上面電極本体部２２ａのＸ方向の他方の端部に連設された形状となっている。また、抵抗体突出部３０ｂについても、一方の抵抗体突出部３０ｂについては、抵抗体本体部３０ａのＸ方向の一方の端部に連設され、他方の抵抗体突出部３０ｂについては、抵抗体本体部３０ａのＸ方向の他方の端部に連設された形状となっている。
【００６０】
この図１１の例においても、抵抗体層３０が、上下にずれた状態で形成された場合にも、所定の範囲のずれであるならば、図１１に示すように、抵抗体本体部３０ａが上面電極本体部２２ａに接しないので、所望の抵抗値から抵抗値が大きく変化することがない。また、上記と同様に、抵抗体本体部３０ａの端部から抵抗体層３０の反対側の端部までの長さをＥとし、上面電極層２２における上面電極本体部２２ａの端部から他方の上面電極層２２における上面電極突出部２２ｂの端部までの長さをＦとした場合に、Ｅ＜Ｆであれば、抵抗体本体部３０ａと上面電極本体部２２ａが接した状態で形成された場合には、抵抗体突出部３０ｂが上面電極突出部２２ｂには接しなくなるので、抵抗値検査で確実に選別することができる。
【００６１】
また、他の変形例として、図１２に示すように、上面電極層２２を方形状、具体的には、長方形状とするようにしてもよい。上面電極層２２は、互いに点対称の位置に設けられている。なお、抵抗体層３０は、図１１の場合と同様に形成されている。この図１２の例においても、抵抗体層３０が、上下にずれた状態で形成された場合にも、所望の抵抗値から抵抗値が大きく変化することがない。
【００６２】
なお、上記図８〜図１２の例では、上面電極突出部２２ｂや抵抗体突出部３０ｂは、長手方向の中心線（図２等参照）を跨がないように形成されているが、長手方向（Ｙ方向）のずれの許容範囲が大きくなるという本第２実施例の効果を得るためには、上面電極突出部２２ｂや抵抗体突出部３０ｂは、長手方向の中心線を跨ぐように形成されていてもよい。
【００６３】
なお、上記の説明においては、抵抗体層３０における抵抗体突出部３０ｂ以外の部分の形状は、図２等に示す形状として説明したが、これには限られず、任意である。つまり、抵抗体層３０は、上面電極層２２側の両側に突出部（抵抗体突出部）を有する構成であれば任意である。また、上記上面電極層２２においても、内側に突出部（上面電極突出部２２ｂ）を有する構成であれば任意である。
【００６４】
【発明の効果】
本発明に基づくチップ抵抗器によれば、上面電極層、抵抗体層ともに突出部を有しているので、抵抗体層の形成位置が上面電極層を結ぶ方向にずれて形成されたとしても、抵抗体本体部と上面電極本体部とが容易に接触することがなく、よって、要求される抵抗値を確実に得ることが可能となる。
【００６５】
また、上面電極層の突出部と抵抗体層の突出部ともに中心線を跨がない状態で形成されており、一対の上面電極層における突出部の基端間の長さが、上記抵抗体層における一対の上面電極層を結ぶ方向の全長である抵抗体層全長より長く形成されている場合には、抵抗体層が１８０度回転した状態で形成されると、上面電極層と抵抗体層とは少なくとも一方において接触しない。すると、該上面電極層と抵抗体層との間には、電流の導通がない状態となるので、抵抗値調整のトリミングが行われず、抵抗値検査において、確実に不良品として選別される。なお、該抵抗体層全長が、一対の上面電極層の突出部の先端間の長さより長く形成されているので、上面電極層と抵抗体層とが確実に接触することができ、また、該一対の上面電極層の突出部の先端間の長さが、該抵抗体層における一対の上面電極層を結ぶ方向の突出部の基端間の長さより長くなるように形成されているので、抵抗体層の突出部以外の領域が容易に上面電極層に接触しないようにすることができる。
【図面の簡単な説明】
【図１】本発明の第１実施例に基づくチップ抵抗器の断面図である。
【図２】本発明の第１実施例に基づくチップ抵抗器の上面電極層と抵抗体層とを説明する説明図である。
【図３】本発明の第１実施例に基づくチップ抵抗器の作用を説明するための説明図である。
【図４】本発明の第１実施例に基づくチップ抵抗器の変形例を示す説明図である。
【図５】図４の例の作用を説明するための説明図である。
【図６】本発明の第１実施例に基づくチップ抵抗器の変形例を示す説明図である。
【図７】図６の例の作用を説明するための説明図である。
【図８】本発明の第２実施例に基づくチップ抵抗器の上面電極層と抵抗体層とを説明する説明図である。
【図９】図８の例の作用を説明するための説明図である。
【図１０】本発明の第２実施例に基づくチップ抵抗器の変形例とその作用を示す説明図である。
【図１１】本発明の第２実施例に基づくチップ抵抗器の変形例とその作用を示す説明図である。
【図１２】本発明の第２実施例に基づくチップ抵抗器の変形例とその作用を示す説明図である。
【図１３】従来におけるチップ抵抗器とその問題点を説明するための説明図である。
【図１４】従来におけるチップ抵抗器とその問題点を説明するための説明図である。
【符号の説明】
Ｓ１、Ｓ２  チップ抵抗器
１０  絶縁基板
２０  電極部
２２  上面電極層
２２ａ  上面電極本体部
２２ｂ  上面電極突出部
２４  側面電極層
２６  中間電極層
２８  ハンダメッキ層
３０  抵抗体層
３０ａ  抵抗体本体部
３０ｂ  抵抗体突出部
４０  保護層
【図１】
0003948701.tif 000002
【図２】
0003948701.tif 000003
【図３】
0003948701.tif 000004
【図４】
0003948701.tif 000005
【図５】
0003948701.tif 000006
【図６】
0003948701.tif 000007
【図７】
0003948701.tif 000008
【図８】
0003948701.tif 000009
【図９】
0003948701.tif 000010
【図１０】
0003948701.tif 000011
【図１１】
0003948701.tif 000012
【図１２】
0003948701.tif 000013
【図１３】
0003948701.tif 000014
【図１４】
0003948701.tif 000015